(57)【要約】      （修正有）【課題】優れたガス放出特性、放熱性を実現する二重構造のラミネート外装体を備えるラミネート型二次電池を提供する。【解決手段】積層電極体２０と、積層電極体を内部に収容する軟質ラミネート外装体４０と、積層電極体を内部に収容した状態の軟質ラミネート外装体を内部に収容する硬質ラミネート外装体５０とを備え、軟質ラミネート外装体は、内部に収容された積層電極体の積層側面に対向する周囲において軟質ラミネートシート同士が接合された接合部を有しており、硬質ラミネート外装体は、内部に収容された積層電極体の積層側面に対向する周囲の一部において開口部５２が形成されており、接合部の一部は、開口部を介して硬質ラミネート外装体の外方に突出している、ラミネート型二次電池１００。【選択図】図１
2020170583.tif 000002
【特許請求の範囲】
【請求項１】
シート状の正極および負極がセパレータとして機能する層を介在させつつ複数積層した構造の積層電極体と、
前記積層電極体を内部に収容する相対的に軟質のラミネートシートから構成される軟質ラミネート外装体と、
前記積層電極体を内部に収容した状態の前記軟質ラミネート外装体を内部に収容する相対的に硬質のラミネートシートから構成される硬質ラミネート外装体と、
を備えたラミネート型二次電池であって、
前記軟質ラミネート外装体は、内部に収容された前記積層電極体の積層側面に対向する周囲において前記軟質ラミネートシート同士が接合された接合部を有しており、
前記硬質ラミネート外装体は、内部に収容された前記積層電極体の積層側面に対向する周囲の一部において開口部が形成されており、
ここで、前記接合部の一部は、前記開口部を介して前記硬質ラミネート外装体の外方に突出していることを特徴とする、ラミネート型二次電池。
【発明の詳細な説明】
【技術分野】
【０００１】
本発明は、ラミネートシートからなる外装体に電池要素を収容した構造のラミネート型二次電池に関し、さらには相互に電気的に接続した複数の該ラミネート型二次電池を備える組電池に関する。
【背景技術】
【０００２】
リチウムイオン二次電池等の二次電池は、軽量で高いエネルギー密度が得られることから、パソコンや携帯端末等のポータブル電源、あるいはＥＶ（電気自動車）、ＨＶ（ハイブリッド自動車）、ＰＨＶ（プラグインハイブリッド自動車）等の車両駆動用電源として広く用いられている。このような車両駆動用電源として用いられる二次電池の一形態として、正負極を有する電極体および電解質から構成される電池要素（蓄電素子）を袋状のラミネートシートからなる外装体（以下、単に「ラミネート外装体」ともいう。）で包囲した構造のいわゆるラミネート型電池が挙げられる。
かかるラミネート外装体は、一般には、ポリオレフィン樹脂等の熱融着可能なプラスチックフィルムで構成される外層とアルミニウム等の金属箔からなる内層とを備える多層構造の可撓性を有する素材で構成されており、軽量且つ密閉性（シール性）に優れる外装体である。
例えば以下の特許文献１には、この種のラミネート外装体を備えるラミネート型の二次電池が記載されている。
【先行技術文献】
【特許文献】
【０００３】
【特許文献１】特開２０１３−６９６９６号公報
【特許文献２】特開２００８−２６２８０４号公報
【発明の概要】
【発明が解決しようとする課題】
【０００４】
ところで、ラミネート外装体を構成するラミネートシートは、軽量で可撓性を有する一方で、外部から受ける衝撃に対する強度は金属性の電池ケースと比較すると低いといわざるを得ない。そこで、ラミネート外装体を二重構造にすることによって落下等の衝撃に対する物理的強度を向上させることが提案されている。例えば上記特許文献２には、電池要素を内部に収容する軟質のラミネート外装体（軟質外装材）と、該電池素子および軟質外装材を内部に収容する硬質のラミネート外装体（硬質外装材）とを備える電池が開示されている。
【０００５】
しかしながら、上記特許文献２に記載されるような二重構造のラミネート外装体を備えるラミネート型二次電池では、物理的強度が向上した一方で、電池内部の閉塞性は高まっており、異常時における電池内部からのガス放出や放熱性は、一重構造のラミネート外装体を備える通常のラミネート型二次電池よりも逆に低下する虞がある。リチウムイオン二次電池のような比較的高電圧、高容量の二次電池では、内部短絡、過充電等の異常時においては速やかに放熱もしくは電池内部で発生したガスを放出することが好ましく、上記二重構造のラミネート外装体を備えるラミネート型二次電池でも事情は同じであり、ガス放出特性や放熱性の向上が求められる。
【０００６】
そこで本発明は、二重構造のラミネート外装体を備えるラミネート型二次電池におけるかかる問題点を解決するべく創出されたものであり、優れたガス放出特性、放熱性を実現する二重構造のラミネート外装体を備えるラミネート型二次電池の提供を目的とする。また、かかるラミネート型二次電池を複数備えた組電池の提供を他の目的とする。
【課題を解決するための手段】
【０００７】
かかる目的を実現するべく、ここに開示されるラミネート型二次電池は、シート状の正極および負極がセパレータとして機能する層を介在させつつ複数積層した構造の積層電極体と、該積層電極体を内部に収容する相対的に軟質のラミネートシートから構成される軟質ラミネート外装体と、該積層電極体を内部に収容した状態の該軟質ラミネート外装体を内部に収容する相対的に硬質のラミネートシートから構成される硬質ラミネート外装体と、を備えたラミネート型二次電池である。
そして、ここに開示されるラミネート型二次電池において、上記軟質ラミネート外装体は、内部に収容された上記積層電極体の積層側面に対向する周囲において上記軟質ラミネートシート同士が接合された接合部を有しており、上記硬質ラミネート外装体は、内部に収容された上記積層電極体の積層側面に対向する周囲の一部において開口部が形成されている。ここで、上記接合部の一部は、その開口部を介して上記硬質ラミネート外装体の外方に突出していることを特徴とする。
【０００８】
かかる構成のラミネート型二次電池では、上記軟質ラミネート外装体と硬質ラミネート外装体とからなる二重構造ラミネート外装体のうち、硬質ラミネート外装体において、上記積層電極体の積層側面（即ち、正負極の積層構造が表れている側面をいう。）に対向する周囲の一部において開口部が形成されている。さらに、該開口部を介して上記軟質ラミネート外装体の接合部の一部が硬質ラミネート外装体の外方に突出している。このことによって、当該開口部から、特に該開口部から外方に突出している接合部の一部から、内部短絡、過充電等の異常時におけるガスの放出ならびに放熱を効果的に行うことができる。
このため、ここに開示されるラミネート型二次電池によると、軟質および硬質の二重構造のラミネート外装体を備えていても、好適なガス放出特性および放熱性を実現することができる。
【０００９】
また、本発明は、ここに開示されるラミネート型二次電池を複数備える組電池であって、上記積層電極体の正負極積層方向に沿って複数のラミネート型二次電池を積層した構成の組電池を提供する。かかる構成の組電池では、該組電池を構成するそれぞれのラミネート型二次電池（単電池ともいう。）が上記のとおり好適なガス放出特性ならびに放熱性を具備するため、組電池に含まれる何れかの単電池において不具合が発生した場合であっても、隣接する他の単電池に高熱が伝導することを防止することができ、高い安定性を実現することができる。
【図面の簡単な説明】
【００１０】
【図１】一実施形態に係るラミネート型二次電池を模式的に示す斜視図である。
【図２】一実施形態に係るラミネート型二次電池の構築ステップの概略を示す模式図である。（Ａ）には、積層電極体を軟質ラミネート外装体の内部に収容する前の状態が示されている。（Ｂ）には、軟質ラミネート外装体の全周囲を接合した後の状態が示されている。（Ｃ）には、硬質ラミネート外装体の内部に、積層電極体を収容した軟質ラミネート外装体を収容した様子が示されている。
【発明を実施するための形態】
【００１１】
以下、図面を参照しながら、本発明による一実施形態を説明する。なお、以下に説明する各図面において、同じ作用を奏する部材、部位には同じ符号を付し、重複する説明は省略または簡略化することがある。また、各図における寸法関係（長さ、幅、厚さ等）は実際の寸法関係を反映するものではない。また、本明細書において特に言及している事項以外の事柄であって本発明の実施に必要な事柄は、該分野における従来技術に基づく当業者の設計事項として把握され得る。さらに、本明細書において数値範囲：Ａ〜Ｂ（ここでＡとＢは、Ａ＜Ｂの関係にある任意の数値）と記載している場合は、Ａ以上Ｂ以下を意味しており、Ａを上回る場合（Ａを含まずにそれ以上の場合）、Ｂを下回る場合（Ｂを含まずにそれ以下の場合）も包含される数値範囲である。
【００１２】
本明細書において「二次電池」とは、充放電可能で所定の電気エネルギーを繰り返し取り出し得る蓄電装置をいう。例えば、電解質中のアルカリ金属イオンが電荷の移動を担うリチウムイオン二次電池、ナトリウムイオン二次電池等は、ここでいう二次電池に包含される典型例である。「ラミネート型二次電池」とは、ラミネートシートからなる外装体の内部に、電極体（例えば、積層電極体）および電解質を収容した構成の二次電池をいう。
以下、ここで開示されるラミネート型二次電池の一実施形態として、扁平な矩形状の積層電極体をラミネート外装体に収容した形態のラミネート型二次電池を例として、本発明について詳細に説明する。なお、本発明をかかる実施形態に記載されたものに限定することを意図したものではない。
【００１３】
＜ラミネート型二次電池の全体構造＞
まず初めに、ここで開示されるラミネート型二次電池の大まかな全体構造を、図１を参照しつつ説明する。図１は、一実施形態に係るラミネート型二次電池の全体構造を模式的に示す斜視図である。
図１に示されるように、ラミネート型二次電池１００は、積層電極体２０と、軟質ラミネート外装体４０と、硬質ラミネート外装体５０を備えている。
図示されるように、軟質ラミネート外装体４０は、積層電極体２０を内部に収容している。また、硬質ラミネート外装体５０は、積層電極体２０を内部に収容した状態の軟質ラミネート外装体４０を内部に収容している。そして、硬質ラミネート外装体５０のシールされた周縁の一部は、シールされずに開口した開口部５２を形成しており、軟質ラミネート外装体４０の一部は、当該開口部５２を介して硬質ラミネート外装体５０の外方に突出している。また、積層電極体２０に付設される正極集電タブ１２および負極集電タブ１４の先端寄りの一部は、軟質ラミネート外装体４０および硬質ラミネート外装体５０の両方から引き出され、外方に突出している。
【００１４】
次に、ラミネート型二次電池１００の構成および各構成要素について詳細に説明する。
＜積層電極体＞
積層電極体２０としては、この種のラミネート型二次電池に使用される積層電極体を特に制限なく使用することができる。具体的には、例えば、積層電極体２０は矩形シート状の正極と、矩形シート状の負極とが、図示されないセパレータとして機能する層を介在させつつ、相互に絶縁された状態で複数積層している。
【００１５】
−正極−
正極は、典型的には、矩形シート状の正極集電体と、該正極集電体の表面（片面もしくは両面）に形成された正極活物質層とを備えている。正極活物質層は、リチウムイオンを吸蔵および放出可能な正極活物質（例えば、リチウムニッケルコバルトマンガン複合酸化物等のリチウム遷移金属複合酸化物）を含んでいる。また、正極集電体としては、例えば、アルミニウム製の正極集電体が使用される。そして、正極集電体には正極集電タブ１２が付設されており、外部接続用の正極端子として機能する。
【００１６】
−負極−
負極は、典型的には、矩形シート状の負極集電体と、該負極集電体の表面（片面もしくは両面）に形成された負極活物質層とを備えている。負極活物質層は、リチウムイオンを吸蔵および放出可能な負極活物質（例えば、黒鉛等の炭素系材料）を含んでいる。また、負極集電体としては、例えば、銅製の負極集電体が使用される。そして、図示されるように、負極集電体には負極集電タブ１４が付設されており、外部接続用の負極端子として機能する。
【００１７】
−セパレータ−
上述するように、積層電極体２０は、正極および負極間を絶縁するセパレータとして機能する層を備えている。セパレータとして機能する層の種類は、大まかにいって、ラミネート型二次電池１００が備える電解質によって異なる。具体的には、例えば、ラミネート型二次電池１００が固体電解質を備えるいわゆる全固体電池である場合、固体電解質層が、セパレータとして機能する層に該当する。当該固体電解質層に含まれる固体電解質としては、硫化物系固体電解質あるいは酸化物系固体電解質が挙げられる。また、ラミネート型二次電池１００が電解液を備えるタイプの二次電池である場合、セパレータシートが、セパレータとして機能する層に該当する。セパレータシートとしては、例えば、ポリエチレンまたはポリプロピレン等の樹脂製シートが挙げられる。
【００１８】
＜ラミネート外装体＞
軟質ラミネート外装体４０は、表層を構成する絶縁性のポリオレフィン、ポリエチレンテレフタレート、ポリアミド等からなる樹脂フィルム層と内部層を構成するアルミニウム、ステンレス等からなる金属層との積層構造、例えば、ポリアミド層と、金属層と、ポリオレフィン層とが、この順に積層された三層構造のラミネートシートで構成され得る。各層の厚みについては特に限定されないが、例えば、ポリアミド層は１０〜１００μｍ、アルミニウム層は３０〜１５０μｍ（好ましくは１００μｍ、さらに好ましくは、５０μｍ以下）、ポリオレフィン層は１０〜１００μｍであり得る。
硬質ラミネート外装体５０は、軟質ラミネート外装体４０と同様、典型的には樹脂フィルム層と金属層との積層構造であり得る。例えば、ポリアミド層と、金属層と、ポリオレフィン層とが、この順に積層された構造のラミネートシートで構成される。各層の厚みについては、例えば、ポリアミド層は１０〜１００μｍ、金属層は１００〜５００μｍ（好ましくは２００〜４００μｍ、さらに好ましくは、２５０〜３５０μｍ）、ポリオレフィン層は１０〜１００μｍであり得る。
軟質ラミネート外装体４０および硬質ラミネート外装体５０の構成材料であるラミネートシートが上述のような構成であることによって、即ち、ラミネートシートを構成するアルミニウム等の金属層の厚みに違いを持たせることによって、ラミネート外装体の曲げ特性や機械的な硬さを調節することができる。軟質ラミネート外装体４０は、硬質ラミネート外装体５０と比較して相対的に軟質のラミネートシートから構成されることとなる。一方、硬質ラミネート外装体５０は、軟質ラミネート外装体４０と比較して相対的に硬質のラミネートシートから構成されることとなる。
【００１９】
＜ラミネート型二次電池の構築＞
次に、ラミネート型二次電池１００の構築について、図２を参照しつつ説明する。図２には、一実施形態に係るラミネート型二次電池の構築ステップの概略が模式的に示されている。（Ａ）には、積層電極体２０を軟質ラミネート外装体４０の内部に収容する前の状態が示されている。（Ｂ）には、軟質ラミネート外装体４０の全周囲を接合した後の状態が示されている。（Ｃ）には、硬質ラミネート外装体５０の内部に、積層電極体２０を収容した軟質ラミネート外装体４０を収容した様子が示されている。
−電極体の構築および軟質ラミネート外装体への収容−
まず、上述する材料を用いて積層電極体２０を構築する。次に、図２（Ａ）に示されるように、積層電極体２０を２枚の矩形シート状の軟質ラミネート外装体４０を構成する軟質ラミネートシート（図２（Ａ）中では、ラミネート外装体４０の符号で示している。）の間に挟み込んで収容する。そして、図２（Ｂ）に示されるように、内部に収容された積層電極体２０の積層側面に対向する周囲において、軟質ラミネートシート同士を、例えば熱溶着により接合する。図示されるように、軟質ラミネート外装体４０は、接合部４０ａ、４０ｂ、４０ｃ、および、４０ｄを有している。ここで、軟質ラミネート外装体４０は正極集電タブ１２および負極集電タブ１４の一部を内部に収容するが、その他の一部は収容せず、それらは接合部４０ａから外方に突出している。
【００２０】
−硬質ラミネート外装体への収容−
次に、積層電極体２０を内部に収容した状態の軟質ラミネート外装体４０（図２（Ｂ））を、例えば２枚の矩形シート状の硬質ラミネート外装体５０を構成する硬質ラミネートシートの間に挟み込んで収容する（図示なし）。そして、内部に収容された積層電極体２０の積層側面に対向する周囲を熱溶着により接合するが、一部は接合せずに開口部を形成させる。具体的には、例えば図２（Ｃ）に示されるように、硬質ラミネート外装体５０において、接合部４０ａ、４０ｂ、および、４０ｄに対向する部分については接合する。しかしながら、上記一部である接合部４０ｃに対向する部分は接合しないため、開口部５２が形成されている。開口部５２が形成される部位としては、例えば、矩形状のラミネートシートにおいて短辺部分を開口部５２の形成部位とすることが好ましく、典型的には、正負極集電タブ形成部位と対向する部位が挙げられる。ここで、図示されるように、接合部４０ｃの一部は、開口部５２を介して硬質ラミネート外装体５０の外方に突出していることが好ましい（図１も参照）。このことにより、開口部５２から、特に開口部５２から外方に突出している接合部４０ｃの一部から、内部短絡、過充電等の異常時におけるガスの放出ならびに放熱を効果的に行うことができる。
なお、正極集電タブ１２および負極集電タブ１４は、接合部４０ａに対向した硬質ラミネート外装体５０の接合部から外方に突出し、外部接続可能となっている。
【００２１】
上述のように構築されたラミネート型二次電池１００では、軟質ラミネート外装体と硬質ラミネート外装体５０とからなる二重構造ラミネート外装体を備える。そのうち、硬質ラミネート外装体５０において、積層電極体２０の積層側面に対向する周囲の一部において開口部５２が形成され、これを介して軟質ラミネート外装体４０の接合部４０ｃの一部が硬質ラミネート外装体５０の外方に突出している。ここから内部短絡、過充電等の異常時におけるガスの放出ならびに放熱を効果的に行うことができ、二重構造のラミネート外装体を備えていても、好適なガス放出特性および放熱性を実現することができる。
【００２２】
＜組電池＞
ラミネート型二次電池１００を単電池として使用し、組電池を作製することができる。詳細な図示は省略するが、具体的には、例えば、複数（２〜５０個程度）のラミネート型二次電池１００を、積層電極体２０の正負極積層方向に沿って積層する。例えば、単電池としてのラミネート型二次電池１００を複数並列接続する場合、それぞれの正極集電タブ１２および負極集電タブ１４が重ねられるようにして、ラミネート型二次電池１００を積層する。
上述するように、該組電池の単電池としてのラミネート型二次電池１００が良好なガス放出特性ならびに放熱性を有するため、組電池に含まれる何れかの単電池において不具合が発生した場合であっても、隣接する他の単電池に高熱が伝導することを防止することができ、高い安定性を実現することができる。
【００２３】
＜変形例１＞
ラミネート型二次電池１００が電解液を備えるタイプの二次電池である場合、軟質ラミネート外装体４０を完全に封止する前に、内部に電解液を収容する。具体的には、例えば、軟質ラミネートシートを接合して接合部４０ａ、４０ｂ、および、４０ｄを形成させた後、ラミネート外装体４０の内部に電解液を収容する。その後、残りの軟質ラミネートシートの開口部を接合して接合部４０ｃを形成させる。
【００２４】
＜変形例２＞
上記実施形態では、２枚のラミネートシートを使用しているが（図２（Ａ））、軟質ラミネート外装体４０および硬質ラミネート外装体５０はいずれも１枚のラミネートシートのみで構成されていてもよい。この場合、該１枚のラミネートシートを折り返し、折り返した部分の周縁を接合することにより、ラミネート外装体として使用することができる。
【００２５】
以下、ここで開示されるラミネート型二次電池に関して試験例を説明するが、本発明をかかる試験例に示すものに限定することを意図したものではない。
【００２６】
［試験例１：ラミネート型二次電池および組電池の作製］
以下に説明するプロセスにより、実施例および比較例におけるラミネート型二次電池を作製した。
−実施例−
従来公知の方法により積層電極体を作製して、アルミニウム層が４０μｍ厚の軟質ラミネート外装体の内部に収容し、該ラミネート外装体の全周囲を熱溶着により接合した。次いで、これをアルミニウム層が３００μｍ厚の硬質ラミネート外装体の内部に収容し、該硬質ラミネート外装体の周囲を熱溶着により接合した。ここで、当該外装体の周囲の一部であって、正負極集電タブが突出していない短辺については接合せず、内部の軟質ラミネート外装体の、当該部分における接合部が、硬質ラミネート外装体から突出するようにした。そして、このようにして作製されたラミネート型二次電池を３つ重ねて実施例に係る組電池を作製した。
−比較例−
ラミネート型二次電池において、軟質ラミネート外装体の全ての接合部が硬質ラミネート外装体の内部に収容されるように、硬質ラミネート外装体の全周囲を接合したこと以外は実施例と同じようにして、比較例に係る組電池を作製した。
【００２７】
［試験例２：過充電試験］
上記で作製した実施例および比較例に係る組電池を構成する一のラミネート型二次電池に適当なコンディショニング処理を行った。次に、室温（２５℃）の条件下で定電流充電を行った。さらに、該ラミネート型二次電池の充電が完了した後も定電流充電を続け、当該ラミネート型二次電池を過充電状態に強制的に陥らせた。そして、隣接する他のラミネート型二次電池で発煙（即ち、高熱の伝導による連鎖発煙）が起こるか否かを観察した。
結果を表１に示す。
【００２８】
【表１】
2020170583.tif 000003
【００２９】
表１に示されるように、硬質ラミネート外装体の一部に開口部があり、軟質ラミネート外装体の接合部の一部が外方に突出した構造のラミネート型二次電池は放熱性が向上しているため、これを単電池として有する実施例に係る組電池においては過充電による連鎖発煙が起こらなかった。一方、硬質ラミネート外装体の全周囲を接合し、開口部を有さないラミネート型二次電池は放熱性が低く、このような電池を単電池として有する比較例に係る組電池においては過充電による連鎖発煙が起こった。
【００３０】
以上、本発明を詳細に説明したが、上記実施形態は例示に過ぎず、ここで開示される発明には上述の具体例を様々に変形、変更したものが含まれる。
例えば、ラミネート型二次電池１００は、リチウムイオン二次電池以外の二次電池、例えばナトリウムイオン二次電池であってもよい。この場合においても、本発明において上記と同様の効果を得ることができる。
【符号の説明】
【００３１】
１２    正極集電タブ
１４    負極集電タブ
２０    積層電極体
４０    軟質ラミネート外装体
４０ａ  接合部
４０ｂ  接合部
４０ｃ  接合部
４０ｄ  接合部
５０    硬質ラミネート外装体
５２    開口部
１００  ラミネート型二次電池
【図１】
2020170583.tif 000004
【図２】
2020170583.tif 000005